(57)【要約】      （修正有）【課題】宛先人不在で持ち帰られた配送品を配送会社の担当者の手を煩わせることなく、受取人が受け取ることができるようにする。【解決手段】装置本体の収納部内に収納された配送品の物品情報を第１のアンテナ１０を介して無線通信で読み取る第１のリーダ・ライタ２２と、不在通知票の無線タグ１６の物品情報を第２のアンテナ２０を介して読み取る第２のリーダ・ライタ２３と、この第２のリーダ・ライタ２３によって読み取られた物品情報と第１のリーダ・ライタ２２によって読み取られた読取情報とを照合する照合部２５と、この照合部２５によって照合された物品情報と読取情報とが一致するのに基づいて該一致した配送品が収納されている収納部の開閉扉を開錠するように制御するＣＰＵ２６とを具備する。【選択図】図５
2011153024.tif 000002
【特許請求の範囲】
【請求項１】
装置本体と、
この装置本体内に設けられ、物品情報を記憶する無線タグを付した物品を収納する複数の収納部と、
前記複数の収納部を開閉する複数の開閉扉と、
前記収納部内に収納された前記無線タグの情報を無線通信で読み取る読取手段と、
前記物品情報を入力する入力手段と、
この入力手段によって入力された物品情報と前記読取手段によって読み取られた読取情報とを照合する照合手段と、
この照合手段によって照合された前記物品情報と前記読取情報とが一致するのに基づいて該一致した物品が収納されている前記収納部の開閉扉を開錠するように制御する制御手段と
を具備することを特徴とするロッカー装置。
【請求項２】
前記物品は配送品で、前記物品情報は前記配送品の宛先住所、及び宛先人の氏名と関連する情報であることを特徴とする請求項１記載のロッカー装置。
【請求項３】
前記入力手段は、宛先人によって持ち込まれた不在通知票に付された無線タグに記憶された物品情報を無線通信で読み取って入力することを特徴とする請求項２記載のロッカー装置。
【請求項４】
前記開閉扉の前面部には前記照合手段によって照合された前記物品情報と前記読取情報とが一致するのに基づいて点灯する点灯部が設けられたことを特徴とする請求項１乃至３のいずれか一項に記載されたロッカー装置。
【請求項５】
装置本体の開閉扉によって開閉される複数の収納部内に収納され、物品情報を記憶する無線タグを付した物品を取り出す物品取出方法であって、
前記収納部内に収納された前記無線タグの情報を読取手段により無線通信で読み取り、
前記物品情報を入力手段により入力し、
前記入力手段によって入力された物品情報と前記読取手段によって読み取られた読取情報とを照合手段によって照合し、
前記照合手段によって照合された前記物品情報と前記読取情報とが一致するのに基づいて該一致した物品が収納されている前記収納部の開閉扉を開錠することを特徴とする物品取出方法。
【発明の詳細な説明】
【技術分野】
【０００１】
本発明は、例えば、配送会社の集配所に設置されるロッカー装置及び物品取出方法に関する。
【背景技術】
【０００２】
配送会社の配達担当者は、依頼された配送品を宛先人に配達するが、宛先人が不在の場合には、不在通知票を宛先人宅に投函し、配送品は持ち帰る。宛先人が帰宅して不在通知票に気がつくと、配送会社に再配送をお願いしたり、或いは、自分で配送会社に受け取りにいく。
【０００３】
宛先人が配送会社に受け取りにいった場合には、不在通知票を配送会社の担当者に提示する。配送会社の担当者は提示された不在通知票に対応する配送品を探し出して宛先人に渡すようにしている（例えば、特許文献１参照。）。
【発明の概要】
【発明が解決しようとする課題】
【０００４】
しかしながら、従来においては、宛先人が配送会社に受け取りにきた場合には、配送会社の担当者が配送品を探し出して宛先人に渡していたため、手間取るという問題があった。
【０００５】
本発明は上記事情に着目してなされたもので、その目的とするところは、例えば、宛先人不在で持ち帰られた配送品を配送会社の担当者の手を煩わせることなく取出すことができる等、保管した物品から要求されたものを容易に取出すようにできるロッカー装置及び物品取出方法を提供することにある。
【課題を解決するための手段】
【０００６】
上記の課題を解決するために、請求項１記載の発明は、装置本体と、この装置本体内に設けられ、物品情報を記憶する無線タグを付した物品を収納する複数の収納部と、前記複数の収納部を開閉する複数の開閉扉と、前記収納部内に収納された前記無線タグの物品情報を無線通信で読み取る読取手段と、前記物品情報を入力する入力手段と、この入力手段によって入力された物品情報と前記読取手段によって読み取られた読取情報とを照合する照合手段と、この照合手段によって照合された前記物品情報と前記読取情報とが一致するのに基づいて該一致した物品が収納されている前記収納部の開閉扉を開錠するように制御する制御手段とを具備することを特徴とする。
【０００７】
請求項５記載の発明は、装置本体の開閉扉によって開閉される複数の収納部内に収納され、物品情報を記憶する無線タグを付した物品を取り出す物品取出方法であって、前記収納部内に収納された前記無線タグの情報を読取手段により無線通信で読み取り、前記物品情報を入力手段により入力し、前記入力手段によって入力された物品情報と前記読取手段によって読み取られた読取情報とを照合手段によって照合し、前記照合手段によって照合された前記物品情報と前記読取情報とが一致するのに基づいて該一致した物品が収納されている前記収納部の開閉扉を開錠することを特徴とする。
【発明の効果】
【０００８】
本発明によれば、保管した物品から要求されたものを容易に取出すようにできるという効果を奏する。
【図面の簡単な説明】
【０００９】
【図１】本発明の第１の実施の形態であるロッカー装置を示す斜視図。
【図２】図１のロッカー装置の収納部に収納される配送品に付される不在通知票、及び宛先人宅に投入される不在通知票を示す斜視図。
【図３】図１中Ａ−Ａ線に沿って示す断面図。
【図４】図１中Ｂ−Ｂ線に沿って示す断面図。
【図５】図１のロッカー装置の開閉扉の開閉を制御する制御系を示す回路図。
【図６】図１のロッカー装置の収納部内に配送品が収納される状態を示す図。
【図７】図１のロッカー装置の収納部の開閉扉の表示用ＬＥＤが点灯された状態を示す図。
【図８】本発明の第２の実施の形態であるロッカー装置の開閉扉の開閉を制御する制御系を示す回路図。
【発明を実施するための形態】
【００１０】
以下、本発明の実施の形態について、図面を参照して詳細に説明する。
【００１１】
（第１の実施の形態）
図１は、本発明の第１の実施の形態であるロッカー装置１を示すものである。
【００１２】
ロッカー装置１は、配送会社の物品としての配送品を集配する集配所に設置される。このロッカー装置１が設置される集配所には、配送品を受け取りにくる宛先人（受取人）が自由に出入することができるようになっている。
【００１３】
配送会社の配達担当者は、配送品を宛先人に配達するが、このとき、図２に示すような不在宅用の不在通知票１３と配送品貼付用の不在通知票１４を持参し、宛先人が不在の場合には、不在通知票１３を宛先人宅に投函し、配送品には不在通知票１４を貼り付けて持ち帰るようになっている。不在宅用の不在通知票１３と配送品貼付用の不在通知票１４には、それぞれ配送品の宛先住所、宛先の氏名と関連する情報（以下、物品情報という）が記憶された無線タグ１６，１７が付されている。
【００１４】
上記したロッカー装置１は装置本体１ａを有し、この装置本体１ａ内には複数の収納部２が上下二段に配設されている。これら収納部２内には、宛先不在で持ち帰られた配送品１１が収納されるようになっている。装置本体１ａの前面部には収納部２をそれぞれ開閉する開閉扉３が複数配設され、これら開閉扉３はロック機構（図示しない）によりロックされるようになっている。開閉扉３の前面一側部には取手部５、前面上部側部には点灯部としての表示用のＬＥＤ６がそれぞれ配設されている。
【００１５】
また、装置本体１ａの一側部には、不在宅用の不在通知票１３を回収するための回収庫７が隣接して設けられている。回収庫７の前面側には不在通知票１３を挿入させる挿入口９が設けられている。
【００１６】
一方、装置本体１ａの背面部には図３に示すように収納部２毎に第１のアンテナ１０が配設されている。
【００１７】
また、回収庫７の内部には図４に示すように、挿入口９から挿入された不在通知票１３を取り込んで搬送路１９に沿って搬送する搬送ローラ対１５が配設されている。搬送路１９の上部側には、第２のアンテナ２０が設けられている。
【００１８】
上記した第１及び第２のアンテナ１０，２０は、図５に示すように第１及び第２のリーダ・ライタ（Ｒ／Ｗ）２２．２３に接続され、第１及び第２のリーダ・ライタ２２．２３は照合手段としての照合部２５を介して制御手段としてのＣＰＵ２６に接続されている。ＣＰＵ２６には制御回路を介して開閉扉３のロック機構３ａ及び表示用ＬＥＤ６が接続されている。
【００１９】
第１のリーダ・ライタ２２は、第１のアンテナ１０を介して配送品１１に付された不在通知票１４の無線タグ１７の物品情報を無線通信で読み取り、第２のリーダ・ライタ２３は、第２のアンテナ２０を介して不在宅用の不在通知票１３の無線タグ１６の物品情報を無線通信で読み取るものである。
【００２０】
照合部２５は、第１及び第２のリーダ・ライタ２２，２３でそれぞれ読み取られた物品情報を照合するものである。
【００２１】
ＣＰＵ２６は、第１及び第２のリーダ・ライタ２２，２３で読み取られた物品情報が一致するか否かを判別し、一致する場合には、その配送品が収納される収納部２の開閉扉３のロック機構３ａのロックを解除するとともに、その表示用のＬＥＤ６を点灯させるようになっている。
【００２２】
次に、配送品の配送について説明する。
【００２３】
配送会社の配達担当者は、配送品を宛先人に配達する。このとき、宛先人が不在の場合には、不在通知票１３を宛先人宅に投函し、配送品には不在通知票１４を貼り付けて持ち帰る。持ち帰った配送品は、例えば、図６に示すように、ロッカー装置１の開閉扉３を開放して収納部２内に収納したのち開閉扉３を閉じてそのロック機構３ａをロックする。この収納部２内に収納された配送品の不在通知票１４に付された無線タグ１７の物品情報は収納部２の第１のアンテナ１０を介して第１のリーダ・ライタ２２によって無線通信によって読み取られる。
【００２４】
一方、不在者が帰宅して配送品を配送会社に受け取りにいく場合には、不在通知票１３を持参して配送会社のロッカー室に行って図７に示すように不在通知票１３を回収庫７の挿入口９内に挿入する。この挿入された不在通知票１３は搬送されてその無線タグ１６の物品情報が第２のアンテナ２０を介して第２のリーダ・ライタ２３によって無線通信によって読み取られる。
【００２５】
第１及び第２のリーダ・ライタ２２，２３でそれぞれ読み取られた物品情報は、照合部２５で照合され、この照合された情報がＣＰＵ２６により一致すると判別された場合には、その配送品が収納されている収納部２の開閉扉３のロック機構３ａのロックが解除されるとともに、その表示用のＬＥＤ６が点灯される。
【００２６】
受取人は、表示用のＬＥＤ６が点灯されてロックが解除された開閉扉３を開放して収納部２内の配送品１１を取り出して持ち帰る。
【００２７】
なお、回収庫７に回収された不在通知票１３は、再利用されるようになっている。
【００２８】
上記したように、この実施の形態によれば、ロッカー装置１の回収庫７の挿入口９から不在通知票１３を挿入するだけで、所望の配送品が収納されている収納部２の開閉扉３を自動的に開放させることができる。
【００２９】
従って、従来のように、配送会社の担当者が配送品の持ち帰りに特別に対応する必要がなく、手間取ることがないという利点がある。
【００３０】
（第２の実施の形態）
図８は、本発明の第２の実施の形態を示すものである。
【００３１】
上記した第１の実施の形態では、ロッカー装置１に第２のリーダ・ライタ２３、及び照合部２５を設け、不在通知票１３の無線タグ１６の物品情報を第２のリーダ・ライタ２３によって読み取って入力するようにしている。
【００３２】
これに対し、第２の実施の形態では、配送品１１の無線タグ１７には物品情報としてのＩＤのみを書き込み、不在通知票１３にはＩＤ情報を記録するものとし、ロッカー装置１の第１のリーダ・ライタ２２にはホストコンピュータ３１を接続している。そして、ホストコンピュータ３１には、配送品のＩＤと物品情報とを紐付けしたデータベース（ＤＢ）３２、及び照合部３３が設けられている。
【００３３】
この第２の実施の形態では、第１のリーダ・ライタ２２によって読み取られた配送品１１の無線タグ１７のＩＤは、ホストコンピュータ３１に送信される。
【００３４】
不在者が帰宅して配送品を配送会社に受け取りにいく場合には、不在通知票１３を持参して配送会社のロッカー室に行ってホストコンピュータ３１のキーボード３５によって不在通知票１３に記録されたＩＤ情報を入力する。
【００３５】
第１のリーダ・ライタ２２で読み取られたＩＤ情報とキーボード３５で入力されたＩＤ情報とが照合部３３で照合され、この照合された情報がＣＰＵ２６により一致すると判別された場合には、その配送品が収納されている収納部２の開閉扉３のロック機構３ａのロックが解除されるとともに、その表示用のＬＥＤ６が点灯される。
【００３６】
受取人は、表示用のＬＥＤ６が点灯されてロックが解除された開閉扉３を開放して収納部２内の配送品１１を取り出して持ち帰る。
【００３７】
この第２の実施の形態によっても、上記した第１の実施の形態と同様の作用効果を奏する。
【００３８】
なお、上記した第２の実施の形態では、不在通知票１３に記録されたＩＤ情報をキーボード３５により入力したが、これに限られることなく、不在通知票１３に配送品のＩＤ情報を表示するバーコードを記録しておいてこのバーコードをスキャナーにより光学的にスキャンして入力するようにしてもよい。
【００３９】
また、この発明は、上述した実施の形態そのままに限定されるものではなく、実施段階ではその要旨を逸脱しない範囲で構成要素を変形して具体化できる。
【符号の説明】
【００４０】
１ａ…装置本体、２…収納部、３…開閉扉、６…表示用ＬＥＤ（点灯部）、１１…配送品（物品）、１６，１７…無線タグ、２２…第１のリーダ・ライタ（読取手段）、２３…第２のリーダ・ライタ（入力手段）、２５…照合部（照合手段）、２６…ＣＰＵ（制御手段）、１３，１４…不在通知票、３１…ホストコンピュータ（入力手段）、３３…照合部（照合手段）、３５…キーボード。
【先行技術文献】
【特許文献】
【００４１】
【特許文献１】特開２００８−２３９２８２号公報
【図１】
2011153024.tif 000003
【図２】
2011153024.tif 000004
【図３】
2011153024.tif 000005
【図４】
2011153024.tif 000006
【図５】
2011153024.tif 000007
【図６】
2011153024.tif 000008
【図７】
2011153024.tif 000009
【図８】
2011153024.tif 000010